(57)【特許請求の範囲】
【請求項１】
シートベルトバックルを固定するためのベルトアンカプレートが設けられた車体に、シートバックフレームを備えてなるシートバックを固定するための車両用シートバックの固定構造において、
前記シートバックフレームの下端部には、前記シートバックから突出する嵌め込み部が形成されるとともに、前記ベルトアンカプレートには、前記嵌め込み部が嵌め込まれて保持されるシート保持部が形成されているとともに、
前記シート保持部は、前記車体に対して立上り状となるように前記ベルトアンカプレートに一体に設けた立上り片部とその立上り片部に形成した嵌合孔とからなり、前記嵌め込み部は突片状に形成されその先端が前記車両の前方に屈曲して形成されていることを特徴とする車両用シートバックの固定構造。
【発明の詳細な説明】
【０００１】
【産業上の利用分野】
本発明は、車両用シートバックの固定構造に関する。
【０００２】
【従来の技術】
従来、リヤシートのシートバックは、シートバックフレームを備えて構成されており、このシートバックの下端部には、左右両端部及び中央寄りの２箇所である計４箇所にシートバックから突出するように取付片部がシートバックフレームと一体に形成されている。この各取付片部には、取付孔が形成され、車体側には床面に固定孔が４個形成されている。
【０００３】
シートバックを車体に固定するには、各取付片部の取付孔と床面の各固定孔とをそれぞれ整合させるようにシートバックを配し、各取付孔側からそれぞれボルトを挿入する。そして、床面の裏側から座面を介して各ボルトをナットで締め付け固定する。
【０００４】
【発明が解決しようとする課題】
ところが、上記固定構造ではボルトやナット等を必要とするため部品点数が増えてコスト高になる。さらには、ボルトの締め付け作業をしなければならないから面倒である。
本発明は、上記事情に鑑みてなされたもので、その目的は、部品点数を減らすことができるとともに固定作業が容易となる車両用シートバックの固定構造を提供するところにある。
【０００５】
【課題を解決するための手段】
上記目的を達成するために、本発明の車両用シートバックの固定構造は、シートベルトバックルを固定するためのベルトアンカプレートが設けられた車体に、シートバックフレームを備えてなるシートバックを固定するための車両用シートバックの固定構造において、シートバックフレームの下端部には、シートバックから突出する嵌め込み部が形成されるとともに、ベルトアンカプレートには、嵌め込み部が嵌め込まれて保持されるシート保持部が形成されているとともに、前記シート保持部は、車体に対して立上り状となるようにベルトアンカプレートに一体に設けた立上り片部とその立上り片部に形成した嵌合孔とからなり、嵌め込み部は突片状に形成されその先端が車両の前方に屈曲して形成されていることに特徴を有する（請求項１の発明）。
【０００７】
【作用】
請求項１の発明によれば、シートバックを車体に固定するには、ベルトアンカプレートに設けた立上り片部の嵌合孔に、シートバックフレームの下端部に形成した嵌め込み部を挿入する。この際、嵌め込み部は、その先端が車両の前方に屈曲した形状であるため、シートバックの上部を前方に傾けた姿勢で嵌め込み部の先端を嵌合孔に挿入し、さらにシートバックの下端部を前方に突き出すように回動させて嵌め込み部を付け根部分まで嵌合孔に挿入する。これにより、嵌め込み部の先端が嵌合孔に係合してシートバックは抜け止め状態とされる。
【０００９】
【発明の効果】
上述したように本発明によれば、既存のベルトアンカプレートにシートバック保持部を設けてシートバックを固定するようにしたから、シートの固定のためにボルトやナット等を用いる必要はなく、部品点数を減らすことができてコストの低減を図ることができるとともに、締め付け作業をしなくてもよいから固定作業が非常に容易となる効果を奏する。さらに、嵌め込み部の先端が屈曲しているから、嵌め込み部を嵌合孔に係合させて抜け止め状態とすることができ、シートバックを確実に固定することができる。
【００１０】
【実施例】
以下、本発明の車両用シートバックの固定構造を具体化した一実施例について図１乃至図３を参照して説明する。
本実施例の車両用シートバックの固定構造は、車両におけるリヤシートのシートバックを車体に固定するための固定構造であり、図１に示すように、車室内後部では、床面１の後端部は斜めに立ち上がった後、ほぼ垂直に立ち上がり、その垂直に立ち上がった部分にはトランクルームと車室とを連結する貫通孔２が形成されている。また、車室内後部の左右両側部には、ホイールハウス３が膨出している。さらに、床面１の後端部であって斜めに立ち上がった部分には、各ホイールハウス３の内側に固定孔４が形成されるとともに、各ホイールハウス３間のほぼ中央付近に、所定間隔でベルトアンカプレート５が２個設けられている。このベルトアンカプレート５は、リヤ用のシートベルト６におけるベルトバックル７を車体に固定するためのものである。
【００１１】
各ベルトアンカプレート５は、図２、図３に示すようにＬ字状に形成されており、そのほぼ中央部には取付孔５ａが形成されている。そして、床面１に形成された固定孔１ａにそれぞれ取付孔５ａを整合させるとともに、各一端部が車両の側方に、他端部が後方に伸びるように配し、各取付孔５ａ側からそれぞれボルト８を挿入して床面１の裏側でナット９で締め付け固定されている。このベルトアンカプレート５の両端部は、床面１からほぼ垂直に立ち上がるように屈曲形成されて立上り片部１０，１１となっており、この立上り片部１０，１１には床面に沿って伸びる細長な貫通孔１０ａ，１１ａが形成されている。そして、一端部側に形成された貫通孔１０ａにはベルトバックル７から延出されるベルト７ａが連結されている。また、他端部側の立上り片部１１に形成された貫通孔１１ａが本発明の嵌合孔に相当し、この立上り片部１１と貫通孔１１ａからシート保持部１７が構成される。
【００１２】
一方、リヤシートのシートバック１２は、図示しないシートバックフレームにシートクッションを取り付け、さらにそれらをシートカバー１３で覆って構成されている。このシートバック１２の下端部には、その左右両端部及び中央寄りの２箇所である計４箇所に、シートバックフレームに一体に設けられた突片状の取付片部１４，１５が突出している。この取付片部１４，１５は、極太な針金をＵ字状に屈曲しその両端部をシートバックフレームに溶接することにより形成されている。また、取付片部１４，１５のうち、中央寄りに設けられた２つの取付片部１５は、その先端部が前方に折り曲げられてく字状となっている。そして、その取付片部１５の幅はベルトアンカプレート５の立上り片部１１に形成された貫通孔１１ａの横方向の幅より僅かに狭く、その貫通孔１１ａに挿入可能となっている。この中央寄りのく字状に形成された取付片部１５が本発明の嵌め込み部に相当する。
【００１３】
次に、本実施例の作用について述べる。シートバック１２を車体に固定するためには、まず、中央寄りの２つの取付片部１５を床面１に固定されている各ベルトアンカプレート５の他端部側の貫通孔１１ａにそれぞれ挿入する。この際、取付片部１５の先端が前方に屈曲形成されているので、シートバック１２の上部を前方に僅かに傾けるような姿勢で取付片部１５の先端を貫通孔１１ａに挿入する。さらに、シートバック１２の下端部を前方に突き出すように回動させて取付片部１５の付け根部分まで挿入する。これにより、取付片部１５の先端が貫通孔１１ａに係合してシートバック１２が抜け止め状態とされる（図２参照）。
【００１４】
さらに、シートバック１２の両端部に設けられた取付片部１４をホイールハウス３の内側に形成されている固定孔４に整合させるように、シートバック１２の位置を調整する。そして、この各取付片部１４側からボルト１６を挿入し、床面の裏側で座面を介してナット（図示せず）で締め付け固定する。
【００１５】
このように本実施例によれば、シートバック１２を車体に固定するには、中央寄りの２つの取付片部１５をベルトアンカプレート５の貫通孔１１ａに嵌め込んだ後、残りの取付片部１４だけをねじ止めすればよいから、全ての取付片部をねじ止めするのに対し固定作業が非常に容易となるとともに、既存のベルトアンカプレートを利用してシート保持部１７を形成したからボルト等部品点数が減りコストを低減させることができる。さらに、取付片部１５がく字状に形成されているから、取付片部１５が貫通孔１１ａに抜け止めされて、シートバック１２が確実に固定される。また、従来の固定構造であると、取付片部は床面に直接固定されるから、その形状は床面の形状に沿ったものとなり、設計上車体の形状に制約されることになるが、本実施例ではベルトアンカプレート５を介して車体に固定するようにしたから、取付片部１５が直接床面１に接触せず、車体の形状に係わらずに設計することができ、さらには、シートバックの共通化を図ることも容易となる。
【００１６】
また、本発明は上記実施例に限定されるものではなく、例えば次のように変形して実施することができ、これらの実施態様も本発明の技術的範囲に属する。
（１）  上記実施例では取付片部１５はく字形に屈曲していたが、本発明の嵌め込み部は屈曲せずにまっすぐなものであってもよく、その場合には、貫通孔に挿入し易く作業が容易となる。
その他、本発明は要旨を逸脱しない範囲内で種々変更して実施することができる。
【図面の簡単な説明】
【図１】  本実施例の全体を示す斜視図である。
【図２】  シートバックが固定された状態を示す一部断面図である。
【図３】  ベルトアンカプレートを示す斜視図である。
【符号の説明】
５…ベルトアンカプレート
１１…立上り片部
１１ａ…貫通孔（嵌合孔）
１５…取付片部（嵌め込み部）
１７…シート保持部
【図１】
0003648525.tif 000002
【図２】
0003648525.tif 000003
【図３】
0003648525.tif 000004